(57)【特許請求の範囲】
【請求項１】
箱体と該箱体内に取り付けられたスピーカとを備えたボックス付スピーカにおいて、前記箱体が、前記スピーカの振動に応じて振動する振動板と、少なくとも一部分が該振動板により覆われる開口を有する箱本体部分とからなり、該振動板はアコースティックピアノの響板と略同一構造であることを特徴とするボックス付スピーカ。
【請求項２】
前記振動板が、前記箱本体部分に、該箱本体部分への該振動板の振動の伝達を妨げる緩衝部材を介して取り付けられてなることを特徴とする請求項１記載のボックス付スピーカ。
【発明の詳細な説明】
【０００１】
【発明の属する技術分野】
本発明は、箱体、すなわちスピーカボックスと、その箱体内に取り付けられたスピーカとを備えたボックス付スピーカに関する。
【０００２】
【従来の技術】
従来から、スピーカ自体、およびそのスピーカを内蔵するスピーカボックスには、さまざまな大きさ、形状、種類のものが存在し、音質を向上させるためにさまざまな工夫がなされている。またスピーカボックスは、スピーカから発音される音によって共振しないように、重量密度の高い硬い材質の、肉厚の厚い部材で構成されている。
【０００３】
しかしながら、従来のスピーカで電子楽器の音を発音させた場合、どうしても電気的な聞き苦しい音になってしまう傾向があった。これは、本来、アコースティック楽器は楽器自体が振動（共鳴も含む）して楽音を生成するものであるのに対して、従来のスピーカボックスでは、スピーカのコーンの振動のみによって、電気的な音響信号を音に変換して空間に放音しているからである。
【０００４】
【発明が解決しようとする課題】
本発明は、上記事情に鑑み、アコースティック楽器の演奏音にさらに近づけた楽音を発生させることのできるボックス付スピーカを提供することを目的とする。
【０００５】
【課題を解決するための手段】
上記目的を達成する本発明のボックス付スピーカは、箱体と該箱体内に取り付けられたスピーカとを備えたボックス付スピーカにおいて、上記箱体が、上記スピーカの振動に応じて振動する振動板と、少なくとも一部分がその振動板により覆われる開口を有する箱本体部分とからなり、該振動板はアコースティックピアノの響板と略同一構造であることを特徴とする。
【０００６】
ここで、上記本発明のボックス付スピーカにおいて、上記振動板が上記箱体の背面を構成し、上記スピーカが、上記箱本体部分からなる前面を構成する板に取り付けられてなるものであることが好ましい。
また、上記本発明のボックス付スピーカにおいて、上記振動板が、上記箱本体部分に、その箱本体部分への振動板の振動の伝達を妨げる緩衝部材を介して取り付けられてなることも好ましい態様である。
【０００７】
さらに、上記本発明のボックス付スピーカにおいて、上記箱体の、その箱体を構成する箱本体部分と振動板との間に開口が形成されるように、上記振動板が、振動板が取り付けられる前の箱本体部分の開口形状の一部分を切り欠いた形状を有するものであってもよい。
さらに、上記本発明のボックス付スピーカにおいて、上記振動板が、その振動板の、上記箱本体部分に取り付けられる外縁部と、上記スピーカの振動に応じて振動する中央部との間に、その振動板の肉圧を減ずる溝を有することも好ましい形態である。
【０００８】
また、上記本発明のボックス付スピーカにおいて、上記箱本体部分が、その箱本体部分に振動板を取り付けたときの箱体の容積を互いに異ならせる位置に、振動板の取付けが可能な振動板取付部を複数有することも好ましい形態である。
さらに、上記本発明のボックス付スピーカにおいて、上記箱体が、その箱体内部に、上記振動板とは異なる振動板を備えることも好ましい形態である。
【０００９】
ここで、上記本発明のボックス付スピーカの上記各形態それぞれにおいて、上記振動板が、木目を揃えて配列された木質の複数枚の柾板と、それら複数枚の柾板を横切る方向に延びる、それら柾板にあてがわれた木質の複数本の棒材とを備えたものであることが好ましい。
また、この場合に、上記複数本の棒材のうちの少なくとも一本の棒材が、取付け自在に、あるいは取付け位置の変更が自在に、上記柾板にあてがわれてなることも好ましい態様である。
【００１０】
【発明の実施の形態】
以下、本発明の実施形態について説明する。
図１は、本発明のボックス付スピーカの第１実施形態を表わす横断面図、図２は、図１に示す第１実施形態を構成する振動板の平面図、図３は、振動板の、図２に示す矢印Ａ−Ａに沿う断面図である。
【００１１】
図１に示すボックス付スピーカは、スピーカボックス１０とスピーカ２０を備えている。
スピーカボックス１０は、スピーカ２０の振動に共振しないように重量密度の高い硬い材質の材料で構成された箱本体部分１１と、スピーカ２０の振動に応じて振動する振動板１２とから構成されている。箱本体部分１１は、このスピーカボックス１０の前面を構成する、第１の開口１１１ａを有する前板１１１と、このスピーカボックス１０の上面、下面をそれぞれ構成する上板１１２、下板１１３と、このスピーカボックス１０の両側面を構成する、側板１１４Ａおよび図示しないもう一方の側板と、さらに、下板１１３の背面側の部分から立ち上る、高さの低い背板１１５とから構成されている。この背板１１５には、スピーカ２０に電気信号を伝える電気ケーブル２１を通す孔１１５ａが形成されている。この箱本体部分１１の背面のほとんどの部分には第２の開口１１６が形成されており、その第２の開口１１６の周囲、すなわち上板１１２の背面側の部分、背板１１５の上端面、おおび両側板の背面側の部分には、振動板の外線部を嵌合させる溝１１７が形成されている。また、その溝１１７内には、振動板１２の振動が箱本体部分１１に伝わるのを防止するためのゴムあるいはフェルト等の弾性部材１３が貼着されている。この溝１１７内に振動板１２の外縁部をはめ込むことにより、振動板１２が、箱本体部分１１に、弾性部材１３を介在させた状態で取り付けられる。
【００１２】
また、箱本体部分１１の前板１１１には、第１の開口を塞ぐように、スピーカ２０が取り付けられている。
本実施形態における振動板１２は、図２に示すように、木質の複数枚の柾板１２１が配列され、それらの柾板１２１には、木質の複数本の棒材１２２があてがわれている。柾板１２１は、その柾板１２１の長手方向に互いに平行に延びる木目（柾目）を有するスプルース（Ｓｐｒｕｃｅ）材からなる板であり、また棒材１２２も、その棒材１２２の長手方向に柾目を有する、柾板１２１と同一材質の一寸角程度の棒材である。この棒材１２２は、図３に示すように、その両端部１２２ａ，１２２ｂにスロープが形成されている。この振動板１２は、アコースティックピアノの響板と同一の構成を有するものであり、この振動板１２の、図２に一点鎖線で示した外縁部１２ａが図１に示す溝１１７に嵌入される。振動板１２の外縁部１２ａは、溝１１７に嵌入されてはいるものの完全には固定されておらず、振動板１２は、スピーカ２０の振動に応じて、溝１１７内を遊びをもった状態でスライドしながら振動する。なお、本実施形態ではスプルース材からなる振動板１２を使用したが、これに限定されることなく、しなやかな弾性をもち、重量密度の小さい材質であれば振動板の材料として使用することが可能である。
【００１３】
図１〜図３に示す第１実施形態では、スピーカボックス１０に、アコースティックピアノの響板と同一構造の振動板１２を備えているため、アコースティック楽器と同様な暖かみのある音を発音することができる。
尚、ピアノないしピアノ様の電子楽器にスピーカを取り付けることが知られているが、その場合、そのピアノの響板をスピーカボックス１０の振動板１２に兼用してもよい。その場合、ピアノの響板は通常複雑な平面形状を有しており、またスピーカボックスとして通常必要とされる寸法よりも大きな寸法を有する場合も多いが、その響板の一部分だけをスピーカボックスの振動板と兼用させると響板として響きが変化してしまうため、その響板全体をスピーカボックスの一部を構成する振動板として用いることが好ましい。
【００１４】
図４は、本発明のボックス付スピーカの第２実施形態の背面図である。
この第２実施形態では、振動板１２が、箱本体部分１１を構成する上板１１２，下板１１３および両側板１１４Ａ，１１４Ｂで囲まれた第２の開口１１６の矩形形状の、図の左上の部分および右下の部分を切り欠いた形状を有しており、そのため、その部分に開放口１１８Ａ，１１８Ｂが形成されている。振動板１２の２本の切欠き線１２ｂ，１２ｃは互いに平行ではなく、それぞれ異なる角度をもって形成されている。これは、振動板１２に複数種類の長さの棒材１２２を備えることにより、広範な周波数で振動しやすくするためである。棒材１２２を取り付ける間隔は、図の右上が一番狭く、左下にいくにしたがって次第に広く取り付けてある。
【００１５】
前述した第１実施形態（図１〜図３参照）は、振動板１２は矩形であり、その振動板１２を箱本体部分１１に取り付けた状態においては密閉型のスピーカボックスが構成されていたが、図４に示す第２実施形態の場合、振動板１２を箱本体部分１１に取り付けた状態において開放口１１８Ａ，１１８Ｂが形成され、したがってバスレフ型のスピーカボックスが構成される。
【００１６】
図５は、本発明のボックス付スピーカの第３実施形態における振動板を示す平面図（Ａ）およびＢ−Ｂ矢視断面図（Ｂ）である。
この実施形態では、振動板１２の、箱本体部分１１（図１参照）に取り付けられる外縁部１２ａと、スピーカ２０（図１参照）の振動に応じて振動する中央部１２ｂとの間に、振動板１２の肉厚を減ずる外周溝１２ｃが形成されている。
【００１７】
この外周溝１２ｃを形成することにより中央部１２ｂが一層振動しやすくなるとともに、その振動が外縁部１２ａに伝わりにくくなる。
尚、この図５に示す実施形態では、外周溝１２ｃは中央部１２ｂをひとまわりだけ取り巻くように形成されているが、外周溝を同心状に複数形成してもよい。
図６は、本発明のボックス付スピーカの第４実施形態における振動板を示す平面図（Ａ）およびＣ−Ｃ矢視断面図（Ｂ）である。
【００１８】
この実施形態では、振動板１２を構成する柾板１２１に、棒材１２２を合成樹脂製のピン１２３で取り付けるための孔１２４が形成されており、種々の長さの棒材１２２を種々の位置に取り付けることができるように構成されている。この実施形態では、長さの異なる棒材１２２やその棒材１２２の取付位置を調整することにより、振動板の振動具合、すなわちこのボックス付スピーカの音量や音色を調整することができる。
【００１９】
図７は、本発明のボックス付スピーカの第５実施形態を表わす横断面図である。
この図７に示す第５実施形態は、図１に示す第１実施形態と比べ、振動板１２を箱本体部分１１に取り付ける溝が、溝１１７Ａ，１１７Ｂ，１１７Ｃの３つ形成されている点で異なっている。振動板１２をこれら３つの溝１１７Ａ，１１７Ｂ，１１７Ｃのうちのいずれの溝に取り付けるかによって、スピーカボックス１０の容積が変化し、これによりスピーカ２０の振動による背圧、定在波の構成が異なることとなり、所望の音量や音色に調整することができる。この場合の構成として、例えば、スピーカボックス１０の上板１１２を取り外し可能に取り付け、スピーカボックス１０の上板１１２、側板１１４Ａ，１１４Ｂ（図４参照）、底板１１３の内側に複数の溝をそれぞれ形成することで、上板１１２を取り外してから振動板１２を上方向に抜き、所望の溝に再び挿入して振動板の位置を変えることができるようにしてもよい。
【００２０】
図８は、本発明のボックス付スピーカの第６実施形態を表わす横断面図である。
この図８に示す第６実施形態も、図７に示す第５実施形態と同様、振動板１２を取り付けるための３つの溝１１７Ａ，１１７Ｂ，１１７Ｃが形成されているが、上板１１２の溝１１７は３つの溝１１７Ａ，１１７Ｂ，１１７Ｃについて共通とし、側板１１４Ａ，１１４Ｂ（図４参照）および底板１１３の溝のみ位置がずれており、溝１１７Ｂ，１１７Ｃには振動板１２が斜めに取り付けられるようになっている。このように振動板１２の角度を変えることによっても、スピーカボックス１０の容積を変える、図７に示す第５実施形態の場合と同様に、スピーカ２０の振動による背圧、定在波の構成が変化し、音量や音色を調整することができる。
【００２１】
図９は、本発明のボックス付スピーカの第７実施形態を表わす横断面図である。
この図９に示す第７実施形態では、図１に示す第１実施形態と比べ、スピーカボックス１０を構成する振動板１２のほかに、そのスピーカボックス１０の内部に、振動板１２とは面積ないし形状の異なる２枚の振動板１４，１５が配置されている。
【００２２】
この実施形態のように面積や形状の異なる複数枚の振動板を備えると、種々の周波数での響きが一層適切に調整されたボックス付スピーカを構成することができる。
図１０は、本発明のボックス付スピーカの第８実施形態を表わす横断面図である。
【００２３】
この図１０に示す第８実施形態では、振動板１２の外縁部１２ａに複数の取付孔が形成され、また箱本体部分１１の背面の、振動板１２の外縁部１２ａに形成された取付孔と対応する位置に、ゴム製の弾性棒１６が複数突設されており、それらの弾性棒１６を振動板１２の取付孔に挿入するようにして振動板１２が箱本体部分１１に取り付けられる。また、さらに異なる振動板取付方法として、バネを緩衝部材として用い、バネを介して振動板を箱本体部分に取り付けてもよい。
【００２４】
これらの振動板取付例に示すように、振動板を緩衝部材を介して箱本体部分に取りつける取付方法は種々に構成することができ、また緩衝部材も種々の形状、材質のものを採用することができる。
【００２５】
【発明の効果】
以上説明したように、本発明のボックス付スピーカによれば、振動板を備えたことにより、従来よりもアコースティック楽器の演奏音に近づけた楽音を発生させることができる。また、その振動板としてアコースティックピアノの響板と同一もしくは同様の構造のものを採用すると、アコースティック楽器の演奏音にさらに近づいた楽音を発生させることができる。
【図面の簡単な説明】
【図１】本発明のボックス付スピーカの第１実施形態を表わす横断面図である。
【図２】図１に示す第１実施形態を構成する振動板の平面図である。
【図３】図２に示す矢印Ａ−Ａに沿う断面図である。
【図４】本発明のボックス付スピーカの第２実施形態の背面図である。
【図５】本発明のボックス付スピーカの第３実施形態における、振動板を示す平面図（Ａ）およびＢ−Ｂ矢視断面図（Ｂ）である。
【図６】本発明のボックス付スピーカの第４実施形態における、振動板を示す平面図（Ａ）およびＣ−Ｃ矢視断面図（Ｂ）である。
【図７】本発明のボックス付スピーカの第５実施形態を表わす横断面図である。
【図８】本発明のボックス付スピーカの第６実施形態を表わす横断面図である。
【図９】本発明のボックス付スピーカの第７実施形態を表わす横断面図である。
【図１０】本発明のボックス付スピーカの第８実施形態を表わす横断面図である。
【符号の説明】
１０    スピーカボックス
１１    箱本体部分
１２    振動板
１２ａ  外縁部
１２ｂ  中央部
１２ｃ  外周溝
１３    弾性部材
１４，１５    振動板
１６    弾性棒
２０    スピーカ
２１    電気ケーブル
１２１  柾板
１２２  棒材
１１１  前板
１１１ａ  第１の開口
１１２  上板
１１３  下板
１１４Ａ，１１４Ｂ  側板
１１５  背板
１１６  開口
１１７，１１７Ａ，１１７Ｂ，１１７Ｃ  溝
１１８Ａ，１１８Ｂ    開放口
【図１】
0003795138.tif 000002
【図２】
0003795138.tif 000003
【図３】
0003795138.tif 000004
【図４】
0003795138.tif 000005
【図５】
0003795138.tif 000006
【図６】
0003795138.tif 000007
【図７】
0003795138.tif 000008
【図８】
0003795138.tif 000009
【図９】
0003795138.tif 000010
【図１０】
0003795138.tif 000011